(57)【要約】【課題】外部の電子機器と接続するための外部機器接続手段を備える通信端末装置において、通信端末装置が所定の状態（充電中など）にある場合には、外部機器接続手段の起動を制限する。【解決手段】通信端末装置１０は、外部の電子機器と接続するための有線通信部２４及び無線通信部２５を制御する外部接続制御部２３と、通信端末装置１０が充電中などの所定の状態にあるかどうかを判定し、その判定結果に基づいて、外部接続制御部２３を制御して、有線通信部２４あるいは無線通信部２５の起動を制御する主制御部２６と、通信端末装置１０に電力供給可能な充電機器２８を接続する電源管理部２２とを備える。主制御部２６は、充電機器２８が接続されたかどうかを判定し、充電機器２８が接続されていると判定した場合、外部接続制御部２３を制御して、有線通信部２４あるいは無線通信部２５の起動を制限する。【選択図】図４
2006287832.tif 000002
【特許請求の範囲】
【請求項１】
外部の電子機器と接続するための外部機器接続手段を備える通信端末装置において、該通信端末装置が所定の状態にあるかどうかを判定する判定手段と、その判定結果に基づいて、前記外部機器接続手段の起動制御を行う起動制御手段とを備えていることを特徴とする通信端末装置。
【請求項２】
請求項１に記載の通信端末装置において、該通信端末装置に電力供給可能な充電機器を接続する手段を備え、前記判定手段は、前記所定の状態として、前記充電機器が接続されたかどうかを判定し、前記起動制御手段は、前記充電機器が接続されていると判定した場合、前記外部機器接続手段の起動を制限することを特徴とする通信端末装置。
【請求項３】
請求項２に記載の通信端末装置において、該通信端末装置への接続が許可された充電機器を識別する手段を備え、前記判定手段は、前記所定の状態として、前記接続許可された充電機器が接続されたかどうかを判定し、前記起動制御手段は、前記接続許可された充電機器が接続されていると判定した場合、前記外部機器接続手段の起動を制限しないことを特徴とする通信端末装置。
【請求項４】
請求項２又は３に記載の通信端末装置において、該通信端末装置の位置情報を取得する手段を備え、前記判定手段は、前記所定の状態として、前記通信端末装置が特定の位置にあるかどうかを判定し、前記起動制御手段は、前記通信端末装置が特定の位置にあると判定した場合、前記外部機器接続手段の起動を制限しないことを特徴とする通信端末装置。
【請求項５】
請求項２乃至４のいずれか１に記載の通信端末装置において、該通信端末装置を操作するユーザを認証する手段を備え、前記起動制御手段は、前記通信端末装置を操作するユーザを認証した場合、前記外部機器接続手段の起動を制限しないことを特徴とする通信端末装置。
【請求項６】
請求項２乃至５のいずれか１に記載の通信端末装置において、各種データを記憶するための記憶手段を備え、前記判定手段は、前記所定の状態として、前記外部機器接続手段に接続された電子機器によりアクセス可能な記憶領域が前記記憶手段に設定されているかどうかを判定し、前記起動制御手段は、前記記憶領域が前記記憶手段に設定されていると判定した場合、前記外部機器接続手段の起動を制限しないことを特徴とする通信端末装置。
【発明の詳細な説明】
【技術分野】
【０００１】
本発明は、通信端末装置、より詳細には、充電中などに外部の電子機器との接続機能を停止できる通信端末装置に関する。
【背景技術】
【０００２】
近年、携帯電話機などの通信端末装置の普及に伴って、通信端末装置に重要な情報を格納するようになってきた。この際、通信端末装置に格納されている情報が他人に見られたり、入手されたりすると、通信端末装置の利用者本人だけでなく利用者に関係する人も含め、その生命や財産などに危険を及ぼす事態を招来する可能性がある。一方、通信端末装置の消費電力が増えたことから電池駆動可能な時間が短くなり、外出先で他人のパーソナルコンピュータと接続しての充電や、ホテルやコンビニエンスストアなどにおける充電サービスの利用など、利用者本人が普段利用している充電器以外での充電を行う機会が増えている。
【０００３】
従来の充電サービスに関して、例えば、特許文献１には、電子機器の使用者にとっての利便性を向上すると共に、使用者の利用効率を向上できるようにした充電サービスシステムが開示されている。この充電サービスシステムは、充電池を有する電子機器と、充電池の充電を行う複数の充電ステーションと、ネットワークを介して電子機器及び充電ステーションと通信可能な管理サーバとを有する。電子機器は、充電池の残量を監視し、その残量が所定値を下回った場合に予約処理信号を生成し、その予約処理信号を管理サーバに送信する。また、管理サーバは、電子機器からの予約処理信号に基づいて充電ステーションの予約を行う。
【特許文献１】特開２００３−３４８７５７号公報
【発明の開示】
【発明が解決しようとする課題】
【０００４】
上述したように、外出先で通信端末装置を充電中に、通信端末装置のユーザ本人が知らない間に、第三者が電子機器を当該通信端末装置に接続し、その通信端末装置内に格納されている情報が盗み出される危険がある。このことは、上記特許文献１に記載の発明でも同様である。
【０００５】
本発明は、上述のごとき実情に鑑みてなされたものであり、外部の電子機器と接続するための外部機器接続手段を備える通信端末装置において、該通信端末装置が所定の状態（例えば、充電中など）にある場合には、外部機器接続手段の起動を制限し、また、通信端末装置がユーザにより許可された状態にある場合には、外部機器接続手段の起動を制限しないように制御すること、を目的としてなされたものである。
【課題を解決するための手段】
【０００６】
本発明の通信端末装置は、有線あるいは無線を介して外部の電子機器と接続するための外部機器接続手段を備え、前記通信端末装置が所定の状態（例えば、充電中など）にある場合には、外部機器接続手段の起動を制限し、また、ユーザ本人の利便性などを考慮して、通信端末装置がユーザにより許可された状態にある場合には、外部機器接続手段の起動を制限しないように制御できるようにしたものである。
【０００７】
而して、本発明の第１の技術手段は、外部の電子機器と接続するための外部機器接続手段を備える通信端末装置において、該通信端末装置が所定の状態にあるかどうかを判定する判定手段と、その判定結果に基づいて、前記外部機器接続手段の起動制御を行う起動制御手段とを備えていることを特徴としたものである。
【０００８】
第２の技術手段は、第１の技術手段において、前記通信端末装置に電力供給可能な充電機器を接続する手段を備え、前記判定手段は、前記所定の状態として、前記充電機器が接続されたかどうかを判定し、前記起動制御手段は、前記充電機器が接続されていると判定した場合、前記外部機器接続手段の起動を制限することを特徴としたものである。
【０００９】
第３の技術手段は、第２の技術手段において、前記通信端末装置への接続が許可された充電機器を識別する手段を備え、前記判定手段は、前記所定の状態として、前記接続許可された充電機器が接続されたかどうかを判定し、前記起動制御手段は、前記接続許可された充電機器が接続されていると判定した場合、前記外部機器接続手段の起動を制限しないことを特徴としたものである。
【００１０】
第４の技術手段は、第２又は第３の技術手段において、前記通信端末装置の位置情報を取得する手段を備え、前記判定手段は、前記所定の状態として、前記通信端末装置が特定の位置にあるかどうかを判定し、前記起動制御手段は、前記通信端末装置が特定の位置にあると判定した場合、前記外部機器接続手段の起動を制限しないことを特徴としたものである。
【００１１】
第５の技術手段は、第２乃至第４のいずれか１の技術手段において、前記通信端末装置を操作するユーザを認証する手段を備え、前記起動制御手段は、前記通信端末装置を操作するユーザを認証した場合、前記外部機器接続手段の起動を制限しないことを特徴としたものである。
【００１２】
第６の技術手段は、第２乃至第５のいずれか１の技術手段において、各種データを記憶するための記憶手段を備え、前記判定手段は、前記所定の状態として、前記外部機器接続手段に接続された電子機器によりアクセス可能な記憶領域が前記記憶手段に設定されているかどうかを判定し、前記起動制御手段は、前記記憶領域が前記記憶手段に設定されていると判定した場合、前記外部機器接続手段の起動を制限しないことを特徴としたものである。
【発明の効果】
【００１３】
本発明によれば、外部の電子機器と接続するための外部機器接続手段を備える通信端末装置において、該通信端末装置が所定の状態（例えば、充電中など）にある場合には、外部機器接続手段の起動を制限し、また、通信端末装置がユーザにより許可された状態にある場合には、外部機器接続手段の起動を制限しないように制御できるため、ユーザの知らない間に電子機器を接続され、通信端末装置内に格納されている情報が盗まれることを防止できる。
【発明を実施するための最良の形態】
【００１４】
図１は、本発明の一実施形態である通信端末装置と電子機器との接続例を示す図で、図中、１は携帯電話網などの通信ネットワーク、２は通信端末装置に電力供給するための充電機器、３は電源（ＡＣ又はＤＣ）、４は電子機器、１０は外部接続機能付き通信端末装置（以下、通信端末装置）を示す。尚、充電機器２は、例えば、充電台や、ＡＣアダプタ、ＤＣアダプタなどを含み、また、電力の供給は非接触方式としてもよい。
【００１５】
通信端末装置１０に有線あるいは無線を介して接続可能な電子機器４は、例えば、パーソナルコンピュータ、テレビジョン装置、電子レンジ、音響機器、デジタルビデオレコーダ、カーナビゲーションシステムなどであって、通信端末装置１０との間でデータ通信可能とする。この電子機器４を通信端末装置１０に同時に複数接続するようにしてもよく、また、有線接続／無線接続を同時に行うようにしてもよい。本実施形態に示す通信端末装置１０は、１つの電子機器４と有線あるいは無線を介して接続した状態を示す。通信端末装置１０は、電子機器４と接続するための外部機器接続機能を備え、通信端末装置１０が所定の状態（例えば、充電中など）にある場合には、外部機器接続機能の起動を制限し、また、通信端末装置１０がユーザにより許可された状態にある場合には、外部機器接続機能の起動を制限しないように制御する。
【００１６】
上記ユーザにより許可された状態の例を以下に示す。
（１）特定の充電機器として、充電台や、ＡＣアダプタ、ＤＣアダプタ（例えば、ユーザ自身が所有する充電器、ＡＣアダプタ、ＤＣアダプタなど）が接続されている場合、外部機器接続機能の起動を制限せずに、電子機器４とのデータ通信を可能とする。特定の充電機器の識別手段としては、例えば、ＲＦＩＤなどを利用して充電機器を識別するようにしてもよい。
（２）通信端末装置１０が特定の位置（例えば、ユーザの自宅や勤務先など）にある場合、外部機器接続機能の起動を制限せずに、電子機器４とのデータ通信を可能とする。通信端末装置１０の位置情報取得手段としては、例えば、ＧＰＳやＲＦＩＤなどを利用して現在位置を取得するようにしてもよい。
（３）通信端末装置１０を操作するユーザ（例えば、ユーザ本人や家族など）を認証した場合、外部機器接続機能の起動を制限せずに、電子機器４とのデータ通信を可能とする。ユーザの認証手段としては、例えば、パスワード入力や、生体認証などを利用して認証するようにしてもよい。
（４）通信端末装置１０が備える記憶手段に特定の記憶領域（例えば、電子機器４からアクセス可能なフォルダ）が設定されている場合、外部機器接続機能の起動を制限せずに、電子機器４とのデータ通信を可能とする。この場合、通信端末装置１０が備える記憶手段に、電子機器４からアクセス可能なフォルダを予め設定しておく。
【００１７】
このように、通信端末装置１０は、上記（１）〜（４）のユーザにより許可された状態以外では、外部機器接続機能の起動を制限するように制御するため、ユーザの知らない間に電子機器４を接続され、通信端末装置１０内に格納されている情報が盗まれることを防止できる。また、通信端末装置１０が上記（１）〜（４）のユーザにより許可された状態にある場合、外部機器接続機能の起動が制限されず、電子機器４との通信が可能となり、例えば、自宅や職場などにおいて、通信端末装置１０にユーザ自身のパーソナルコンピュータを接続してデータ通信を行うことができるため、ユーザの利便性を損なうことがない。
【００１８】
図２は、本発明の他の実施形態である通信端末装置と電子機器との接続例を示す図である。本実施形態に示す通信端末装置１０は、１つの電子機器４と有線あるいは無線を介して接続し、電力供給とデータ通信を同時に行う状態を示す。有線接続の場合、例えば、ＵＳＢ（Ｕｎｉｖｅｒｓａｌ  Ｓｅｒｉａｌ  Ｂｕｓ）ケーブルなどを利用すると、電力供給とデータ通信が１本のケーブルで行うことができる。尚、電力の供給は非接触方式としてもよい。
【００１９】
本実施形態において、図１と同様に、通信端末装置１０は、電子機器４と接続するための外部機器接続機能を備え、通信端末装置１０が所定の状態（例えば、充電中など）にある場合には、外部機器接続機能の起動を制限し、また、通信端末装置１０がユーザにより許可された状態にある場合には、外部機器接続機能の起動を制限しないように制御することができる。
【００２０】
図３は、本発明の他の実施形態である通信端末装置と電子機器との接続例を示す図である。本実施形態に示す通信端末装置１０は、１つの電子機器４と電力線通信により接続し、電力供給とデータ通信を行う状態を示す。尚、充電機器２は、例えば、充電台や、ＡＣアダプタ、ＤＣアダプタなどを含み、また、電力の供給は非接触方式としてもよい。本実施形態に示す通信端末装置１０は、電力線通信に対応した外部接続機能を備え、電子機器４との間で電力線通信を利用してデータ通信を可能とする。
【００２１】
本実施形態において、図１及び図２と同様に、通信端末装置１０は、電子機器４と接続するための外部機器接続機能（ここでは電力線通信に対応）を備え、通信端末装置１０が所定の状態（例えば、充電中など）にある場合には、外部機器接続機能の起動を制限し、また、通信端末装置１０がユーザにより許可された状態にある場合には、外部機器接続機能の起動を制限しないように制御することができる。
【００２２】
また、図３において、別の実施形態として、通信端末装置１０は、電力線通信によるデータ形式を変換する機能を備えた充電機器経由で電子機器４と接続し、電力供給とデータ通信を行うようにしてもよい。すなわち、通信端末装置１０は、ＵＳＢなどの有線通信あるいは無線ＬＡＮなどの無線通信により充電機器２と接続され、さらに、充電機器２及び電源３を介して電力線通信により電子機器４と接続される。この場合、充電機器２は、電力線通信に対応したデータ形式を、有線通信あるいは無線通信に対応したデータ形式に変換する機能を備える。電子機器４と電源３間と、電源３と充電機器２間のデータ通信を電力線通信を利用して行い、充電機器２で有線通信あるいは無線通信に対応したデータ形式に変換した後、充電機器２と通信端末装置１０間のデータ通信を有線通信あるいは無線通信を利用して行う。充電機器２と通信端末装置１０間を有線接続にした場合、例えば、ＵＳＢケーブルなどを利用すれば、電力供給とデータ通信が１本のケーブルで行うことができる。尚、電力の供給は非接触方式としてもよい。
【００２３】
図４は、本発明の通信端末装置１０の構成例を示すブロック図で、通信端末装置１０は、アンテナ部１１、通信部１２、生体認証センサ部１３、ＲＦＩＤ（Ｒａｄｉｏ  Ｆｒｅｑｕｅｎｃｙ  Ｉｄｅｎｔｉｆｉｃａｔｉｏｎ）アンテナ部１４、ＲＦＩＤ送受信部１５、ＧＰＳ（Ｇｌｏｂａｌ  Ｐｏｓｉｔｉｏｎｉｎｇ  Ｓｙｓｔｅｍ）アンテナ部１６、位置情報取得部１７、記憶部１８、表示部１９、表示ドライバ２０、操作部２１、電源管理部２２、外部接続制御部２３、有線通信部２４、無線通信部２５、主制御部２６、電源電池２７を備え、充電機器２８、電子機器２９と接続可能とする。通信端末装置１０は、有線あるいは無線を介して他の通信端末装置と通信する通信機能を備える携帯電話機や、ＰＤＡ（Ｐｅｒｓｏｎａｌ  Ｄｉｇｉｔａｌ  Ａｓｓｉｓｔａｎｔ）などに適用可能である。
【００２４】
電源電池２７は、充電により繰り返し使用可能な蓄電池であって、通信端末装置１０に着脱可能に装着され、充電機器２８は、通信端末装置１０に電力供給するための充電台、ＡＣアダプタ、ＤＣアダプタなどであって、外部接続可能とする。これら電源電池２７及び充電機器２８は、電源管理部２２によって接続、管理される。
【００２５】
また、外部接続制御部２３は、シリアルポートなどの有線通信を行うための有線通信部２４、無線ＬＡＮなどの無線通信を行うための無線通信部２５を制御するための手段であって、有線あるいは無線を介して外部の電子機器２９との接続を制御して、データ通信を可能とする。尚、充電機器２８と電源管理部２２間をつなぐ点線の矢印と、電源管理部２２と外部接続制御部２３間をつなぐ点線の矢印は、電力線通信に対応する場合の構成を示す。
【００２６】
アンテナ部１１は、他の通信端末装置と無線通信するために電波の送受信を行う。通信部１２は、アンテナ部１１で受信した電波の復調及び復号と、アンテナ部１１から送信する電波の変調及び符号化とを行う。
【００２７】
記憶部１８には通信端末装置１０を制御するための制御プログラム等が格納され、その制御プログラムは主制御部２６によって読み出されて実行される。また、記憶部１８は、各種データなどを記憶する領域を有し、外部の電子機器によりアクセス可能な記憶領域を予め設定しておくこともできる。表示部１９は、各種情報を表示するためのＬＣＤなどから構成され、表示ドライバ２０によって駆動制御される。操作部２１は、複数の数字キーや操作キーなどから構成され、ユーザからの操作入力を受け付ける。主制御部２６は、ＣＰＵなどから構成され、通信端末装置１０を構成する各部の処理を制御する。この主制御部２６は、通信端末装置１０が所定の状態（例えば、充電中など）にあるかどうかを判定する手段と、その判定結果に基づいて、外部接続制御部２３を制御して、有線通信部２４あるいは無線通信部２５の起動を制御する手段とを備えている。
【００２８】
生体認証センサ部１３は、ユーザから生体認証情報（例えば、指紋など）の入力を受け付けて、ユーザ認証を行うための手段である。ＲＦＩＤアンテナ部１４及びＲＦＩＤ送受信部１５は、メモリ回路や高周波回路などを内蔵する非接触型ＩＣチップであって、通信端末装置１０に内蔵固定あるいは着脱可能に装着される。このＲＦＩＤアンテナ部１４及びＲＦＩＤ送受信部１５は、充電機器２８として、充電台や、ＡＣアダプタ、ＤＣアダプタ等にそれぞれ付与されたＩＣチップと通信し、ＩＣチップに格納されている充電台、ＡＣアダプタ、ＤＣアダプタの識別情報を取得することができる。これにより、特定の充電機器の識別が可能となる。
【００２９】
ＲＦＩＤ送受信部１５は、充電機器に付与されたＩＣチップとＲＦＩＤアンテナ部１４を介して通信するための手段である。このＲＦＩＤ送受信部１５は、ＩＣチップ同士を近接させて情報の送受信を行うためにリーダ／ライタから構成される。この場合、ＲＦＩＤ送受信部１５から放射される誘導磁束が充電機器に付与されたＩＣチップの内蔵アンテナでキャッチできる交信可能領域に入ると、両者は無線交信可能な状態となる。
【００３０】
ＧＰＳアンテナ部１６及び位置情報取得部１７は、ＧＰＳ機能を利用して通信端末装置１０の位置情報を取得する手段である。尚、この位置情報は、ＲＦＩＤを利用して取得するようにしてもよい。
【００３１】
図４に示す通信端末装置１０において、主制御部２６は、所定の状態として、電源管理部２２に接続された充電機器２８が接続されたかどうかを判定し、充電機器２８が接続されていると判定した場合、外部接続制御部２３を制御して、有線通信部２４あるいは無線通信部２５の起動を制限する。すなわち、電子機器２９と接続できない状態にする。
【００３２】
また、ＲＦＩＤアンテナ部１４及びＲＦＩＤ送受信部１５は、通信端末装置１０への接続が許可された充電機器２８を識別し、主制御部２６は、接続許可された充電機器２８が接続されたかどうかを判定し、接続許可された充電機器２８が接続されていると判定した場合、外部接続制御部２３を制御して、有線通信部２４あるいは無線通信部２５の起動を制限しないようにする。すなわち、電子機器２９と接続可能な状態にする。
【００３３】
また、ＧＰＳアンテナ部１６及び位置情報取得部１７は、通信端末装置１０の位置情報を取得し、主制御部２６は、通信端末装置１０が特定の位置（ユーザの自宅や勤務先など）にあるかどうかを判定し、通信端末装置１０が特定の位置にあると判定した場合、外部接続制御部２３を制御して、有線通信部２４あるいは無線通信部２５の起動を制限しないようにする。すなわち、電子機器２９と接続可能な状態にする。
【００３４】
また、生体認証センサ部１３は、通信端末装置１０を操作するユーザを認証し、主制御部２６は、通信端末装置１０を操作するユーザを認証した場合、外部接続制御部２３を制御して、有線通信部２４あるいは無線通信部２５の起動を制限しないようにする。すなわち、電子機器２９と接続可能な状態にする。
【００３５】
また、記憶部１８は、各種データを記憶する領域を有し、主制御部２６は、外部接続制御部２３を介して接続された電子機器２９によりアクセス可能な記憶領域が記憶部１８に設定されているかどうかを判定し、その記憶領域が記憶部１８に設定されていると判定した場合、外部接続制御部２３を制御して、有線通信部２４あるいは無線通信部２５の起動を制限しないようにする。すなわち、電子機器２９と接続可能な状態にする。
【００３６】
図５は、本発明の通信端末装置１０の動作例を説明するためのフロー図である。尚、本例の通信端末装置１０は、図４に示す構成に基づいて説明する。まず、通信端末装置１０は、外部の電子機器２９が有線通信部２４あるいは無線通信部２５を介して接続されたかどうかを判断し（ステップＳ１）、電子機器２９が接続されたと判断した場合（ＹＥＳの場合）、許可された充電機器２８を利用しているかどうかを判断する（ステップＳ２）。また、上記ステップＳ１において、電子機器が接続されていない場合（ＮＯの場合）、ステップＳ１の処理を繰り返す。また、上記ステップＳ２において、許可された充電機器２８を利用している場合（ＹＥＳの場合）、ステップＳ３に移行して、外部接続制御部２３を制御して、有線通信部２４あるいは無線通信部２５を起動する（ステップＳ３）。また、ステップＳ３において、許可された充電機器２８を利用していない場合（ＮＯの場合）、許可された利用者が使用しているかどうかを判断する（ステップＳ４）。
【００３７】
次に、通信端末装置１０は、ステップＳ４において、許可された利用者が使用している場合（ＹＥＳの場合）、ステップＳ３に移行して、外部接続制御部２３を制御して、有線通信部２４あるいは無線通信部２５を起動する。また、ステップＳ４において、許可された利用者が使用していない場合（ＮＯの場合）、許可された位置で利用しているかどうかを判断する（ステップＳ５）。
【００３８】
次に、通信端末装置１０は、ステップＳ５において、許可された位置で利用している場合（ＹＥＳの場合）、ステップＳ３に移行して、外部接続制御部２３を制御して、有線通信部２４あるいは無線通信部２５を起動する。また、ステップＳ５において、許可された位置で利用していない場合（ＮＯの場合）、許可されたフォルダが設定されているかどうかを判断する（ステップＳ６）。
【００３９】
次に、通信端末装置１０は、ステップＳ６において、許可されたフォルダが設定されている場合（ＹＥＳの場合）、ステップＳ３に移行して、外部接続制御部２３を制御して、有線通信部２４あるいは無線通信部２５を起動する。また、ステップＳ６において、許可されたフォルダが設定されていない場合（ＮＯの場合）、外部接続制御部２３を制御して、有線通信部２４あるいは無線通信部２５を起動しないようにする（ステップＳ７）。
【００４０】
通信端末装置１０は、ステップＳ２、ステップＳ４乃至Ｓ６のいずれか１つ又は複数の条件を満たしたとき、すなわち、許可された充電機器を利用、許可された利用者が使用、許可された位置で利用、許可されたフォルダが設定されている、のいずれか１又は複数の条件を満たしたときに、ステップＳ３に移行して、外部接続制御部２３を制御して、有線通信部２４あるいは無線通信部２５を起動する。また、ステップＳ２、ステップＳ４乃至Ｓ６のいずれか１つ又は複数の条件を満たさないとき、すなわち、許可された充電機器以外を利用、許可された利用者以外が使用、許可された位置以外で利用、許可されたフォルダが設定されていない、のいずれか１又は複数の場合、ステップＳ７に移行して、外部接続制御部２３を制御して、有線通信部２４あるいは無線通信部２５を起動しないようにしてもよい。
【００４１】
以上、本発明の通信端末装置における各機能を中心に各実施形態を説明してきたが、本発明は、通信端末装置における各ステップを実行する方法としても説明したように外部機器の接続制御方法としての形態もとることができる。また、この各機能を有する通信端末装置として機能させるためのプログラムとしての形態も、また、そのプログラムを記憶した記録媒体としての形態も可能である。
【００４２】
本発明による外部機器の接続制御機能を実現するためのプログラムやデータを記憶した記録媒体の実施形態について説明する。記録媒体としては、具体的には、ＣＤ、ＤＶＤ、ＨＤ（ハードディスク）、フラッシュメモリ、メモリカードや、メモリスティック及びその他各種ＲＯＭやＲＡＭ等が想定でき、これら記録媒体に上述した本発明の各実施形態の通信端末装置としての機能をコンピュータに実行させ、外部機器の接続制御機能を実現するためのプログラムを記録して流通させることにより、当該機能の実現を容易にする。そして通信端末装置に上記のごとくの記録媒体を装着して通信端末装置によりプログラムを読み出すか、若しくは通信端末装置が備えている記憶媒体に当該プログラムを記憶させておき、必要に応じて読み出すことにより、本発明に関わる外部機器の接続制御機能を実行することができる。
【図面の簡単な説明】
【００４３】
【図１】本発明の一実施形態である通信端末装置と電子機器との接続例を示す図である。
【図２】本発明の他の実施形態である通信端末装置と電子機器との接続例を示す図である。
【図３】本発明の他の実施形態である通信端末装置と電子機器との接続例を示す図である。
【図４】本発明の通信端末装置の構成例を示すブロック図である。
【図５】本発明の通信端末装置の動作例を説明するためのフロー図である。
【符号の説明】
【００４４】
１…通信ネットワーク、２，２８…充電機器、３…ＡＣ電源、４，２９…電子機器、１０…通信端末装置、１１…アンテナ部、１２…通信部、１３…生体認証センサ部、１４…ＲＦＩＤアンテナ部、１５…ＲＦＩＤ送受信部、１６…ＧＰＳアンテナ部、１７…位置情報取得部、１８…記憶部、１９…表示部、２０…表示ドライバ、２１…操作部、２２…電源管理部、２３…外部接続制御部、２４…有線通信部、２５…無線通信部、２６…主制御部、２７…電源電池。
【図１】
2006287832.tif 000003
【図２】
2006287832.tif 000004
【図３】
2006287832.tif 000005
【図４】
2006287832.tif 000006
【図５】
2006287832.tif 000007